(57)【要約】【課題】オイル中の異物を原因とする弁体の摺動の渋りを防止すること。【解決手段】ＥＣＵ２０は、クリーニング実行条件が満たされた場合に、通電制御部２１に対してクリーニングの実行を指示するクリーニング指示部２２と、クリーニングの実行の指示を受けた場合、ソレノイド１８に対して所定の時間間隔で通電と非通電を繰り返すように指示する通電制御部２１と、を有する。ソレノイド１８における通電と非通電の繰り返しにより、弁体１６および球状弁体１５、弁体７は、左右方向への移動を繰り返す。【選択図】図３
2018141487.tif 000002
【特許請求の範囲】
【請求項１】
弁体が流路を移動することによってリリーフ流路が開放または閉塞されるリリーフバルブを制御するリリーフバルブ制御装置であって、
前記リリーフバルブは、
ソレノイドの通電によって第１方向へ移動し、前記ソレノイドが非通電のときは前記第１方向と逆の第２方向へ移動する部材であって、前記第１方向への移動と前記第２方向への移動とを繰り返すことで前記流路内の流体を攪拌する攪拌部材を有し、
前記リリーフバルブ制御装置は、
前記ソレノイドに対して通電の指示を行う通電制御部と、
所定の条件が満たされた場合に、前記通電制御部に対してクリーニングの実行を指示するクリーニング指示部と、を有し、
前記通電制御部は、
前記クリーニングの実行の指示を受けた場合、前記ソレノイドに対して所定の時間間隔で通電と非通電を繰り返すように指示する、
リリーフバルブ制御装置。
【請求項２】
前記クリーニング指示部は、
予め設定されたタイミングが到来した場合、前記所定の条件が満たされたと判定する、
請求項１に記載のリリーフバルブ制御装置。
【請求項３】
前記クリーニング指示部は、
前記リリーフバルブから内燃機関へ供給される流体の実際の圧力を取得し、
前記実際の圧力と、予め設定された目標圧力との差が所定値を超えた場合、前記所定の条件が満たされたと判定する、
請求項１に記載のリリーフバルブ制御装置。
【請求項４】
前記クリーニング指示部は、
内燃機関が初めて動作した時点から所定のパラメータを取得し、
前記所定のパラメータが所定値以下である場合、前記所定の条件が満たされたと判定する、
請求項１に記載のリリーフバルブ制御装置。
【請求項５】
前記所定のパラメータは、
車両の走行距離および内燃機関の駆動時間の少なくとも一方である、
請求項４に記載のリリーフバルブ制御装置。
【請求項６】
前記リリーフバルブは、
前記攪拌部材であって、前記ソレノイドの通電によって第１流路を前記第１方向へ移動する第１弁体と、
前記第１流路の上流側に設けられた第２流路の所定範囲を移動する第２弁体と、を有し、
前記リリーフ流路は、前記所定範囲内において前記第２流路と連通しており、
前記第１流路と前記第２流路は、第１貫通孔を介して連通しており、
前記第２弁体には、前記第２弁体の上流側からの流体を前記第２弁体の下流側へ流すことが可能な第２貫通孔が形成されており、
前記ソレノイドが通電していない場合、前記第１弁体は、前記第２方向へ移動して前記第１貫通孔を閉塞し、前記第２弁体は、前記第２方向へ移動して前記リリーフ流路を閉塞し、
前記ソレノイドが通電した場合、前記第１弁体は、前記第１方向へ移動して前記第１貫通孔を開放し、前記第２弁体は、前記第１方向へ移動して前記リリーフ流路を開放する、
請求項１から５のいずれか１項に記載のリリーフバルブ制御装置。
【請求項７】
弁体が流路を移動することによってリリーフ流路が開放または閉塞されるリリーフバルブを制御するリリーフバルブ制御方法であって、
前記リリーフバルブは、
ソレノイドの通電によって第１方向へ移動し、前記ソレノイドが非通電のときは前記第１方向と逆の第２方向へ移動する部材であって、前記第１方向への移動と前記第２方向への移動とを繰り返すことで前記流路内の流体を攪拌する攪拌部材を有しており、
所定の条件が満たされた場合に、クリーニングの実行を決定し、前記ソレノイドに対して所定の時間間隔で通電と非通電を繰り返すように指示する、
リリーフバルブ制御方法。
【発明の詳細な説明】
【技術分野】
【０００１】
本発明は、リリーフバルブ制御装置およびリリーフバルブ制御方法に関する。
【背景技術】
【０００２】
従来、オイルポンプにより汲み上げられ、内燃機関へ供給されるオイル（潤滑油）の油圧が所定値以上となった場合に、オイルを逃がすリリーフバルブが知られている（例えば、特許文献１参照）。
【０００３】
このようなリリーフバルブでは、例えば、バルブ本体の内部に、弁体が摺動する流路（以下、主流路という）とリリーフ流路とが形成されている。弁体は、油圧が所定値未満のときはリリーフ流路を閉塞しており、油圧が所定値以上になると、主流路を摺動する。これにより、リリーフ流路が開口し、オイルはリリーフ流路から例えばオイルパン等へ排出される。
【先行技術文献】
【特許文献】
【０００４】
【特許文献１】特開２０１２−１７７９８号公報
【発明の概要】
【発明が解決しようとする課題】
【０００５】
しかしながら、従来のリリーフバルブでは、弁体の外側と主流路の内側との間や、弁体の摺動を制限するためのストッパの外側と主流路の内側との間に、オイル中の異物（例えば、鉄粉）が入り込んでしまい、弁体の摺動が渋るという問題がある。特に、内燃機関が新品である場合、オイル中に鉄粉が多く発生するため、上記問題が発生しやすい。
【０００６】
本発明の目的は、オイル中の異物を原因とする弁体の摺動の渋りを防止できるリリーフバルブ制御装置およびリリーフバルブ制御方法を提供することである。
【課題を解決するための手段】
【０００７】
本発明のリリーフバルブ制御装置は、弁体が流路を移動することによってリリーフ流路が開放または閉塞されるリリーフバルブを制御するリリーフバルブ制御装置であって、前記リリーフバルブは、ソレノイドの通電によって第１方向へ移動し、前記ソレノイドが非通電のときは前記第１方向と逆の第２方向へ移動する部材であって、前記第１方向への移動と前記第２方向への移動とを繰り返すことで前記流路内の流体を攪拌する攪拌部材を有し、前記リリーフバルブ制御装置は、前記ソレノイドに対して通電の指示を行う通電制御部と、所定の条件が満たされた場合に、前記通電制御部に対してクリーニングの実行を指示するクリーニング指示部と、を有し、前記通電制御部は、前記クリーニングの実行の指示を受けた場合、前記ソレノイドに対して所定の時間間隔で通電と非通電を繰り返すように指示する。
【０００８】
本発明のリリーフバルブ制御方法は、弁体が流路を移動することによってリリーフ流路が開放または閉塞されるリリーフバルブを制御するリリーフバルブ制御方法であって、前記リリーフバルブは、ソレノイドの通電によって第１方向へ移動し、前記ソレノイドが非通電のときは前記第１方向と逆の第２方向へ移動する部材であって、前記第１方向への移動と前記第２方向への移動とを繰り返すことで前記流路内の流体を攪拌する攪拌部材を有しており、所定の条件が満たされた場合に、クリーニングの実行を決定し、前記ソレノイドに対して所定の時間間隔で通電と非通電を繰り返すように指示する。
【発明の効果】
【０００９】
本発明によれば、オイル中の異物を原因とする弁体の摺動の渋りを防止できる。
【図面の簡単な説明】
【００１０】
【図１】本発明の実施の形態に係るリリーフバルブの内部を示す断面図
【図２】本発明の実施の形態に係るリリーフバルブの内部を示す断面図
【図３】本発明の実施の形態に係るＥＣＵの構成例を示す機能ブロック図
【図４】本発明の実施の形態に係るＥＣＵの動作例を示すフローチャート
【発明を実施するための形態】
【００１１】
以下、本発明の実施の形態について、図面を参照して詳細に説明する。
【００１２】
まず、本発明の実施の形態に係るリリーフバルブ１の構成例について、図１を用いて説明する。
【００１３】
図１は、本実施の形態に係るリリーフバルブ１の内部を示す断面図である。図１は、リリーフ流路６が閉状態である場合を示している。図１に示す両矢印は、リリーフバルブ１の長手方向を示しており、以下の説明では、矢印Ｌが示す方向を「左方向」、矢印Ｒが示す方向を「右方向」という。また、リリーフバルブ１の長手方向を、適宜、「左右方向」という。
【００１４】
なお、本実施の形態では、リリーフバルブ１を流れる流体がオイルである場合を例に挙げて説明するが、これに限定されず、オイル以外の液体であってもよいし、気体であってもよい。
【００１５】
リリーフバルブ１は、例えば、オイルパンまたはクランクケース（いずれも図示略。以下同様）に備えられるが、これらに限定されない。
【００１６】
リリーフバルブ１の筐体２の内部には、リリーフバルブ１の長手方向に沿って流路３（第２流路の一例）が形成されており、流路３と直交するように流路４、流路５、およびリリーフ流路６が形成されている。リリーフ流路６は、筐体２を貫通して形成されている。これらの流路は、例えば、円柱形状（円筒形状ともいう）である。なお、各流路におけるオイルの流れについては、後述する。
【００１７】
流路３において、流路５の下流側（図中の左側）には、円柱形状の弁体７（第２弁体の一例）が設けられている。
【００１８】
弁体７にはスプリング８が取り付けられており、弁体７は、スプリング８の伸縮に応じて、流路３を左右方向に摺動（移動）する。弁体７が摺動する範囲は、ストッパ９とストッパ１０との間である。ストッパ９は、弁体７の右方向への移動を制限する部分であり、ストッパ１０は、弁体７の左方向への移動を制限する部分である。
【００１９】
また、弁体７には、その一端（図中の左端）が開口した内部空間７ａが形成されている。また、弁体７の他端（図中の右端）には、リリーフバルブ１の長手方向に沿った貫通孔１１が形成されている。貫通孔１１は、内部空間７ａと連通している。内部空間７ａおよび貫通孔１１は、オイルの流路として機能する。
【００２０】
また、リリーフバルブ１には、貫通孔１２、流路１３（第１流路の一例）、および流路１４が形成されている。これらは、例えば、円柱形状である。
【００２１】
流路１３は、リリーフバルブ１の長手方向に沿って形成されており、貫通孔１２を介して、流路３と連通している。
【００２２】
また、流路１３は、リリーフバルブ１の外部に繋がる流路４と連通している。
【００２３】
流路１３には、球状弁体１５および略円柱形状の弁体１６（ともに、第１弁体の一例）が設けられている。
【００２４】
弁体１６は、流路１３を左右方向に摺動（移動）する。
【００２５】
弁体１６の左方向への移動は、ソレノイド１８の通電によって実現される。換言すれば、ソレノイド１８は、通電によって弁体１６を左方向へ移動させる。ソレノイド１８の通電は、ＥＣＵ（Electric Control Unit。図１では図示略）からの指示（後述する制御信号）に基づいて実行される。なお、このＥＣＵについては、図３を用いて後述する。
【００２６】
一方、弁体１６の右方向への移動は、弁体１６に取り付けられたスプリング１７の付勢力によって実現される。換言すれば、ソレノイド１８が非通電状態である場合に、スプリング１７は、右方向へ伸張することで、弁体１６を右方向へ移動させる。
【００２７】
球状弁体１５は、弁体１６が右方向へ移動した場合、図１に示すように、弁体１６によって押圧されることで、貫通孔１２を閉塞する。一方、球状弁体１５は、弁体１６が左方向へ移動した場合、左方向へ移動することで、貫通孔１２を開放する（後述の図２参照）。
【００２８】
以上、本実施の形態に係るリリーフバルブ１の構成例について説明した。
【００２９】
次に、リリーフバルブ１におけるオイルの流れについて説明する。以下では、ソレノイド１８が非通電状態である場合と、ソレノイド１８が通電状態である場合とに分けて、それぞれの場合におけるオイルの流れについて説明する。
【００３０】
まず、ソレノイド１８が非通電状態である場合のオイルの流れについて、図１を用いて説明する。
【００３１】
ソレノイド１８が非通電状態である場合、図１に示すように、スプリング１７に付勢されて右方向へ移動した弁体１６が球状弁体１５を押圧する。これにより、貫通孔１２が閉塞される。
【００３２】
その状態において、オイルパンからオイルポンプ（図示略。以下同様）により汲み上げられたオイルは、所定の流路（図示略）を介して流路４へ流入し、流路３を左方向へ流れる。
【００３３】
流路３を流れるオイルの大部分は、流路５からリリーフバルブ１の外部へ流出し、流路５に接続された所定の流路（図示略）を介して、内燃機関（図示略。以下同様）へ供給される。
【００３４】
一方、流路３を流れるオイルの一部は、弁体７の貫通孔１１から内部空間７ａへ流入する。このオイルは、貫通孔１２が閉塞されているため、流路１３へは流入せず、内部空間７ａ、それより左方向の流路３、および貫通孔１２（以下、内部空間７ａ等という）に貯留される。
【００３５】
内部空間７ａ等における油圧と、弁体７の上流側における油圧とは等しくなる。このとき、図１に示すように、スプリング８に付勢されて右方向へ移動した弁体７は、ストッパ９に当接する。これにより、リリーフ流路６が閉塞される。
【００３６】
次に、ソレノイド１８が通電状態である場合のオイルの流れについて、図２を用いて説明する。
【００３７】
図２は、図１と同様、本実施の形態に係るリリーフバルブ１の内部を示す断面図である。図２は、リリーフ流路６が開状態である場合を示している。
【００３８】
ソレノイド１８が通電状態である場合、図２に示すように、通電によって弁体１６は流路１３を左方向へ移動し、その弁体１６による押圧から解放された球状弁体１５も左方向へ移動する。これにより、貫通孔１２が開放される。
【００３９】
内部空間７ａ等に貯留されていたオイルは、貫通孔１２から流路１３へ流入し、流路１４からリリーフバルブ１の外部へ流出する。流出したオイルは、所定の流路（図示略）を介して例えばオイルパンに還流される。
【００４０】
このように内部空間７ａ等に貯留されていたオイルが貫通孔１２、流路１３、および流路１４を介してリリーフバルブ１の外部へ流出すると、内部空間７ａ等における油圧は、弁体７の上流側における油圧よりも低くなる。よって、図２に示すように、弁体７が流路３を左方向へ移動し、ストッパ１０に当接する。これにより、リリーフ流路６が開放される。
【００４１】
その状態において、図１と同様に流路４へ流入した後、流路３を左方向へ流れるオイルは、その一部が流路５から流出し、残りがリリーフ流路６から流出する。リリーフ流路６からリリーフバルブ１の外部へ流出したオイルは、例えばオイルパンに還流される。
【００４２】
以上、リリーフバルブ１におけるオイルの流れについて説明した。
【００４３】
次に、本実施の形態に係るＥＣＵ２０（リリーフバルブ制御装置の一例）の構成例について、図３を用いて説明する。図３は、ＥＣＵ２０の構成例を示す機能ブロック図である。
【００４４】
図３に示すＥＣＵ２０は、図示は省略するが、例えば、ＣＰＵ（Central Processing Unit）、制御プログラムを格納したＲＯＭ（Read Only Memory）等の記憶媒体、ＲＡＭ（Random Access Memory）等の作業用メモリ、および通信回路などを有する。以下に説明する図３の各部の機能は、ＣＰＵが制御プログラムを実行することにより実現される。
【００４５】
図３に示すように、ＥＣＵ２０は、通電制御部２１、および、クリーニング指示部２２を有する。
【００４６】
通電制御部２１は、例えば、油圧センサ（図示略）によって検出された油圧（例えば、リリーフバルブ１から内燃機関へ供給されるオイルの油圧）が所定値を超えた場合、ソレノイド１８に対し、通電の実行を指示する制御信号（以下、通電指示信号という）を出力する。この通電指示信号には、通電を実行する時間の指示も含まれる。通電指示信号を受け取ったソレノイド１８は、指示された時間の間、通電を実行する。
【００４７】
また、通電制御部２１は、後述するクリーニング指示部２２からクリーニング（詳細は後述）の実行の指示を受けた場合、ソレノイド１８に対し、所定の時間間隔で通電と非通電を繰り返すように指示する制御信号（以下、クリーニング指示信号という）を出力する。このクリーニング指示信号には、通電と非通電を繰り返す回数（または、時間）の指示も含まれる。クリーニング指示信号を受け取ったソレノイド１８は、指示された時間間隔で通電と非通電の繰り返しを実行する。
【００４８】
クリーニング指示部２２は、予め設定された所定の条件（以下、クリーニング実行条件という）が満たされたか否かを判定する。クリーニング実行条件が満たされた場合、クリーニング指示部２２は、通電制御部２１に対し、クリーニングの実行を指示する。
【００４９】
ここで、クリーニング指示部２２がクリーニング実行条件が満たされたと判定する場合の各例について、説明する。
【００５０】
例えば、クリーニング指示部２２は、予め設定されたタイミングが到来した場合、クリーニング実行条件が満たされたと判定する。このタイミングは、所定の時間間隔毎に複数設定されてもよい。
【００５１】
または、例えば、クリーニング指示部２２は、例えば油圧センサから、リリーフバルブ１から内燃機関へ供給されるオイルの実際の油圧を取得する。そして、クリーニング指示部２２は、実際の油圧と、予め設定された目標油圧との差が所定値を超えた場合、クリーニング実行条件が満たされたと判定する。
【００５２】
本例の所定値は、例えば、オイル中の異物（例えば、鉄粉）が弁体７またはストッパ１０の外表面と流路３の内壁面との隙間に入り込んだことにより、弁体７の摺動の渋りが起こると想定される閾値である。この閾値は、予め実施された実験またはシミュレーションの結果に基づいて設定される。
【００５３】
または、例えば、クリーニング指示部２２は、新品の内燃機関が初めて動作した時点（以下、初動作時点という）から所定のパラメータを取得する。そして、クリーニング指示部２２は、所定のパラメータが所定値以下である場合、クリーニング実行条件が満たされたと判定する。
【００５４】
所定のパラメータは、例えば、車両の走行距離、または、内燃機関の駆動時間（例えば、回転時間）である。なお、ＥＣＵ２０が所定のパラメータを取得する方法は、公知であるので、ここでの説明は省略する。
【００５５】
また、本例の所定値は、例えば、オイル中の異物（例えば、鉄粉）が弁体７またはストッパ１０の外表面と流路３の内壁面との隙間に入り込んだとしても、弁体７の摺動の渋りが起こりにくくなると想定される値である。この閾値は、予め実施された実験またはシミュレーションの結果に基づいて設定される。
【００５６】
以上、本実施の形態に係るＥＣＵ２０の構成例について説明した。
【００５７】
次に、本実施の形態に係るクリーニングの例について説明する。
【００５８】
上述したとおり、ソレノイド１８は、通電制御部２１からのクリーニング指示信号に基づき、所定の時間間隔で通電と非通電を繰り返す。これにより、弁体１６および球状弁体１５は、左方向への移動（図２参照）と右方向への移動（図１参照）とを繰り返し行う。これと連動して、弁体７も、左方向への移動（図２参照）と右方向への移動（図１参照）とを繰り返し行う。
【００５９】
このような各弁体の左右方向への移動が繰り返されることで、流路３から流路１３へのオイル流入と流路１３から流路３へのオイル流出とが繰り返し行われることとなる。その結果、内部空間７ａ等のオイルが攪拌される。すなわち、クリーニング実行時では、弁体７（弁体１６および球状弁体１５を含んでもよい）は、内部空間７ａ等のオイルを攪拌する攪拌部材として機能する。
【００６０】
オイルの攪拌により、流路３の内壁面（例えば、ストッパ１０と弁体７の下流端（図中の左端）との間の内壁面）に溜まった異物は、内壁面から浮き上がり、バルブ７の左方向への移動時に貫通孔１２から流路１３へ流入する。そして、流路１３へ流入した異物は、流路１４からリリーフバルブ１の外部へ排出される。
【００６１】
以上、本実施の形態に係るクリーニングの例について説明した。
【００６２】
次に、本実施の形態に係るＥＣＵ２０（リリーフバルブ制御方法の一例）の動作例について、図４を用いて説明する。図４は、ＥＣＵ２０の動作例を示すフローチャートである。
【００６３】
まず、クリーニング指示部２２は、予め設定されたクリーニング実行条件が満たされたか否かを判定する（ステップＳ１０１）。
【００６４】
ステップＳ１０１の判定の結果、クリーニング実行条件が満たされていない場合（ステップＳ１０１：ＮＯ）、処理は、ステップＳ１０１へ戻る。
【００６５】
一方、ステップＳ１０１の判定の結果、クリーニング実行条件が満たされた場合（ステップＳ１０１：ＹＥＳ）、処理は、ステップＳ１０２へ進む。
【００６６】
次に、クリーニング指示部２２は、クリーニングの実行を決定し、通電制御部２１に対してクリーニングの実行を指示する（ステップＳ１０２）。
【００６７】
次に、通電制御部２１は、ソレノイド１８に対し、所定の時間間隔で通電と非通電を繰り返すように指示するクリーニング指示信号を出力する（ステップＳ１０３）。
【００６８】
ソレノイド１８は、クリーニング指示信号に基づき、指示された時間間隔で通電と非通電の繰り返しを実行する。これにより、弁体１６および球状弁体１５の左右方向への移動が繰り返され、これに伴って弁体７の左右方向への移動が繰り返される。その結果、内部空間７ａ等のオイルが攪拌され、内部空間７ａ等の異物が貫通孔１２、流路１３、１４を介してリリーフバルブ１の外部（例えば、オイルパン）へ排出される。
【００６９】
以上、本実施の形態に係るＥＣＵ２０の動作例について説明した。
【００７０】
これまで詳述してきたように、本実施の形態によれば、クリーニング実行条件が満たされた場合、ソレノイドの通電と非通電とを所定の時間間隔で繰り返すことで、弁体７を左右方向へ交互に移動させ、内部空間７ａ等のオイルを攪拌することを特徴とする。これにより、内部空間７ａ等のオイル中の異物をリリーフバルブ１の外部へ排出することができる。その結果、オイル中の異物を原因とする弁体７の摺動の渋りを防止できる。
【００７１】
以上、本発明の実施の形態について詳述してきたが、本発明は、上述の実施の形態に限定されるものではなく、本発明の趣旨を逸脱しない範囲で、適宜変形して実施することが可能である。以下、変形例について説明する。
【００７２】
［変形例１］
例えば、上記実施の形態では、所定のパラメータとして、車両の走行距離または内燃機関の駆動時間のいずれかを取得して判定する場合を例に挙げて説明したが、それら両方を用いてもよい。
【００７３】
その場合、クリーニング指示部２２は、車両の走行距離および内燃機関の駆動時間を取得し、車両の走行距離および内燃機関の駆動時間の両方が、パラメータ毎に設定された所定値以下である場合、クリーニング実行条件が満たされたと判定してもよい。
【００７４】
または、クリーニング指示部２２は、車両の走行距離および内燃機関の駆動時間を取得し、車両の走行距離および内燃機関の駆動時間のいずれかが、パラメータ毎に設定された所定値以下である場合、クリーニング実行条件が満たされたと判定してもよい。
【００７５】
［変形例２］
また、例えば、上記実施の形態では、球状弁体１５を設ける場合を例に挙げて説明したが、球状弁体１５を備えずに、弁体１６自体が貫通孔１２を閉塞／開放する構成としてもよい。
【００７６】
［変形例３］
また、例えば、上記実施の形態では、ソレノイド１８の通電によって弁体１６が左方向へ移動する場合を例に挙げて説明したが、これに限定されない。例えば、ソレノイド１８の通電によって弁体７が左方向へ移動するように構成してもよい。例えば、その構成では、弁体７が右方向へ移動してリリーフ流路６を閉塞しているときに貫通孔１２を閉塞でき、かつ、通電により弁体７が左方向へ移動してリリーフ流路６を開放したときに貫通孔１２を開放できる手段が設けられる。また、この手段を、内部空間７ａ等のオイルを攪拌する攪拌部として機能させてもよい。
【００７７】
＜本開示のまとめ＞
本発明のリリーフバルブ制御装置は、弁体が流路を移動することによってリリーフ流路が開放または閉塞されるリリーフバルブを制御するリリーフバルブ制御装置であって、前記リリーフバルブは、ソレノイドの通電によって第１方向へ移動し、前記ソレノイドが非通電のときは前記第１方向と逆の第２方向へ移動する部材であって、前記第１方向への移動と前記第２方向への移動とを繰り返すことで前記流路内の流体を攪拌する攪拌部材を有し、前記リリーフバルブ制御装置は、前記ソレノイドに対して通電の指示を行う通電制御部と、所定の条件が満たされた場合に、前記通電制御部に対してクリーニングの実行を指示するクリーニング指示部と、を有し、前記通電制御部は、前記クリーニングの実行の指示を受けた場合、前記ソレノイドに対して所定の時間間隔で通電と非通電を繰り返すように指示する。
【００７８】
なお、上記リリーフバルブ制御装置において、前記クリーニング指示部は、予め設定されたタイミングが到来した場合、前記所定の条件が満たされたと判定してもよい。
【００７９】
また、上記リリーフバルブ制御装置において、前記クリーニング指示部は、前記リリーフバルブから内燃機関へ供給される流体の実際の圧力を取得し、前記実際の圧力と、予め設定された目標圧力との差が所定値を超えた場合、前記所定の条件が満たされたと判定してもよい。
【００８０】
また、上記リリーフバルブ制御装置において、前記クリーニング指示部は、内燃機関が初めて動作した時点から所定のパラメータを取得し、前記所定のパラメータが所定値以下である場合、前記所定の条件が満たされたと判定してもよい。
【００８１】
また、上記リリーフバルブ制御装置において、前記所定のパラメータは、車両の走行距離および内燃機関の駆動時間の少なくとも一方であってもよい。
【００８２】
また、上記リリーフバルブ制御装置において、前記リリーフバルブは、前記攪拌部材であって、前記ソレノイドの通電によって第１流路を前記第１方向へ移動する第１弁体と、前記第１流路の上流側に設けられた第２流路の所定範囲を移動する第２弁体と、を有し、前記リリーフ流路は、前記所定範囲内において前記第２流路と連通しており、前記第１流路と前記第２流路は、第１貫通孔を介して連通しており、前記第２弁体には、前記第２弁体の上流側からの流体を前記第２弁体の下流側へ流すことが可能な第２貫通孔が形成されており、前記ソレノイドが通電していない場合、前記第１弁体は、前記第２方向へ移動して前記第１貫通孔を閉塞し、前記第２弁体は、前記第２方向へ移動して前記リリーフ流路を閉塞し、前記ソレノイドが通電した場合、前記第１弁体は、前記第１方向へ移動して前記第１貫通孔を開放し、前記第２弁体は、前記第１方向へ移動して前記リリーフ流路を開放してもよい。
【００８３】
本発明のリリーフバルブ制御方法は、弁体が流路を移動することによってリリーフ流路が開放または閉塞されるリリーフバルブを制御するリリーフバルブ制御方法であって、前記リリーフバルブは、ソレノイドの通電によって第１方向へ移動し、前記ソレノイドが非通電のときは前記第１方向と逆の第２方向へ移動する部材であって、前記第１方向への移動と前記第２方向への移動とを繰り返すことで前記流路内の流体を攪拌する攪拌部材を有しており、所定の条件が満たされた場合に、クリーニングの実行を決定し、前記ソレノイドに対して所定の時間間隔で通電と非通電を繰り返すように指示する。
【産業上の利用可能性】
【００８４】
本発明は、高圧時に流体を逃がすことが可能なリリーフバルブを制御するリリーフバルブ制御装置およびリリーフバルブ制御方法に適用できる。
【符号の説明】
【００８５】
１  リリーフバルブ
２  筐体
３、４、５、１３、１４  流路
６  リリーフ流路
７、１６  弁体
７ａ  内部空間
８、１７  スプリング
９、１０  ストッパ
１１、１２  貫通孔
１５  球状弁体
１８  ソレノイド
２０  ＥＣＵ（リリーフバルブ制御装置の一例）
２１  通電制御部
２２  クリーニング指示部
【図１】
2018141487.tif 000003
【図２】
2018141487.tif 000004
【図３】
2018141487.tif 000005
【図４】
2018141487.tif 000006